(57)【要約】【課題】安価な構造で、騒音を効果的に抑制することができる防振吊り木を提供すること。【解決手段】防振吊り木１は木造建築物における上階の床を構成する床構造部材２に、下階の天井を構成する天井構造部材３を固定するためのものである。防振吊り木１は、木材からなる棒状の本体部１１と、弾性を有する防振部材１１２とを有している。防振部材１１２は、床構造部材２と本体部１１との間、又は天井構造部材３と本体部１１との間に挟持されている。【選択図】図１
2016075063.tif 000002
【特許請求の範囲】
【請求項１】
木造建築物における上階の床を構成する床構造部材に、下階の天井を構成する天井構造部材を固定するための吊り木であって、
木材からなる棒状の本体部と、
弾性を有する防振部材とを有しており、
該防振部材は、上記床構造部材と上記本体部との間、又は上記天井構造部材と上記本体部との間に挟持されていることを特徴とする防振吊り木。
【請求項２】
上記防振部材は、上記本体部における、上記床構造部材又は上記天井構造部材との対向面の全面に配設されていることを特徴とする請求項１に記載の防振吊り木。
【請求項３】
上記防振部材は、発泡体からなることを特徴とする請求項１又は２に記載の防振吊り木。
【請求項４】
上記防振部材は、塩化ビニル系樹脂を配合した炭酸カルシウムからなることを特徴とする請求項３に記載の防振吊り木。
【発明の詳細な説明】
【技術分野】
【０００１】
本発明は、木造建築物に用いられる防振吊り木に関する。
【背景技術】
【０００２】
近年、賃貸住宅等においては、上階での生活音が階下へと伝わることによる上下階間での騒音に関するトラブルが増加している。特に、木造建築物においては、その構造上、音のトラブルが生じやすい。
上下階のある木造建築物において、下階の天井材は、複数の吊り木を用いて、上階の床面を支持する梁に固定されている。そのため、上階の床に歩行などによる振動が加わると、振動は、吊り木を伝わって下階の天井材へと伝達される。天井材に振動が伝わると、天井材がスピーカーにおける振動板の役割を果たし、下階へ騒音として伝わる。
【０００３】
上下階間における振動の伝達を抑制し騒音を低減するために、例えば、特許文献１に示された吊り木が提案されている。特許文献１の吊り木は、梁に接続される吊り止め具と、天井材に接続される受板と、吊り止め具と受板との間に配設された弾性体とを備えている。この弾性体により、振動の伝達を抑制し、騒音の低減を図っている。
【先行技術文献】
【特許文献】
【０００４】
【特許文献１】特開２００７−２４７２２９号公報
【発明の概要】
【発明が解決しようとする課題】
【０００５】
しかしながら、特許文献１の吊り木には以下の問題点がある。
特許文献１の吊り木は、弾性体を設けることにより、階下への音の伝達を抑制している。その一方で、吊り止め具と受板とを金属により形成している。金属は、木造建築物において一般的に吊り木として使われる木材に比べて剛性が高く、振動を伝播しやすい。そのため、弾性体によって振動の伝達を抑制する一方で、吊り止め具及び受板においては振動が伝達されやすくなっており、吊り木全体としては振動の伝達の抑制効果が十分得られない。
また、吊り止め具と受板とを複数の金属部品によって形成するため、材料コスト及び製造コストが増大し、吊り木が高価となる。
【０００６】
本発明は、かかる背景に鑑みてなされたものであり、安価な構造で、上下階間における騒音を効果的に抑制することができる防振吊り木を提供しようとするものである。
【課題を解決するための手段】
【０００７】
本発明の一態様は、木造建築物における上階の床を構成する床構造部材に、下階の天井を構成する天井構造部材を固定するための吊り木であって、
木材からなる棒状の本体部と、
弾性を有する防振部材とを有しており、
該防振部材は、上記床構造部材と上記本体部との間、又は上記天井構造部材と上記本体部との間に挟持されていることを特徴とする防振吊り木にある。
【発明の効果】
【０００８】
上記防振吊り木は、上記床構造部材と上記本体部との間、又は上記天井構造部材と上記本体部との間に挟持される上記防振部材を備えている。そのため、上記床構造部材から上記本体部、又は上記本体部から上記天井構造部材へと伝達される振動を、弾性を有する上記防振部材によって減衰させることができる。これにより、上記防振吊り木を介して、上記天井構造部材へと振動が伝達されるのを効果的に抑制することができる。
また、上記本体部は、金属に比べて振動を伝達しにくく、安価な木材によって形成されている。そのため、上記防振吊り木における振動の抑制効果を損なうことが無く、さらには、上記防振吊り木におけるコストを低減することができる。
【０００９】
以上のごとく、上記防振吊り木によれば、安価な構造で、上下階間における騒音を効果的に抑制することができる。
【図面の簡単な説明】
【００１０】
【図１】実施例１における、防振吊り木を示す説明図。
【図２】図１における、Ａ矢視図。
【図３】確認試験における、防振吊り木としての試験体を示す説明図。
【図４】確認試験における、従来の吊り木としての試験体を示す説明図。
【図５】実施例２における、防振吊り木を示す説明図。
【発明を実施するための形態】
【００１１】
上記防振吊り木において、上記防振部材は、上記本体部における、上記床構造部材又は上記天井構造部材との対向面の全面に配設されていることが好ましい。この場合には、上記本体部と上記床構造部材との間、又は上記本体部と上記天井構造部材との間に、確実に上記防振部材を配置することができる。また、一般的に、吊り木は、建築物において下階の天井を施工する際に、建設現場で切断して天井の高さに合わせるよう長さの調整を行う。このとき、上記防振部材を上記本体部における上記対向面の全面に配設することにより、上記防振吊り木の長さ調整に伴う上記防振部材の配設位置の調整が不要となる。これにより、上記防振吊り木の施工性を向上することができる。
【００１２】
また、上記防振部材は、発泡体からなることが好ましい。この場合には、発泡体の内部に形成された気泡が、振動を吸収するバネの役割を果たし、上記防振部材における制振性を向上することができる。また、発泡体の気泡は、断熱層の役割も果たすため、上記防振部材に、断熱機能を付与することができる。これにより、上記本体部を介して熱が伝達されることを防止し、断熱性を向上することができる。また、発泡体は、中実の材料に比べて加工性に優れるため、上記防振吊り木の加工性及び施工性をより向上することができる。
【００１３】
また、上記防振部材は、塩化ビニル系樹脂を配合した炭酸カルシウムからなることが好ましい。塩化ビニル系樹脂を配合した炭酸カルシウムは、温度が上昇することで軟化することが知られている。家屋においては、冬期は床からの冷熱の伝達を抑制するため、厚手のカーペット等が用いられることがある。この場合、厚手のカーペットにより、衝撃が吸収され、音の発生が抑制される。一方、夏季には、床にカーペット等を配置しないで床を露出させるか、涼感が得られやすい薄手のマルチカバー等を用いることが多い。そのため、夏季は、冬期に比べて上下階における騒音の問題が生じやすい。上記防振部材を、塩化ビニル系樹脂を配合した炭酸カルシウムによって形成することにより、家屋内が高温となりやすい夏季には上記防振部材が軟化し、該防振部材における制振性が向上する。これにより、上述のごとく、騒音の問題生じやすい夏季において、より効果的に騒音を抑制することができる。また、塩化ビニル系樹脂を配合した炭酸カルシウムは、自己消火機能を有しており、延焼防止にも寄与することができる。
【実施例】
【００１４】
（実施例１）
上記防振吊り木にかかる実施例について、図１及び図２を参照して説明する。
図１及び図２に示すごとく、防振吊り木１は木造建築物における上階の床を構成する床構造部材２に、下階の天井を構成する天井構造部材３を固定するためのものである。防振吊り木１は、木材からなる棒状の本体部１１と、弾性を有する防振部材１１２とを有している。防振部材１１２は、床構造部材２と本体部１１との間に挟持されている。
【００１５】
以下、さらに詳細に説明する。
図１及び図２に示すごとく、本例の防振吊り木１は、２階建ての木造建築物において、上階である２階居室の床を支持する床構造部材２に、下階である１階居室の天井構造部材３を固定するのに用いられる。尚、防振吊り木１は、２階以上の複数階における上下階の間において用いることができる。
２階居室の床を支持する床構造部材２は、複数の根太２１と複数の梁２２とによって構成されている。
複数の根太２１は、長方形断面を有する四角柱状に加工した木材からなり、断面における長手方向が上下方向となるよう配設されている。また、複数の根太２１は、長手方向が略水平となるよう互いに平行に配置されており、根太２１の上面には、２階居室の床板２３が張り付けられている。
【００１６】
複数の梁２２は、根太２１より大きい長方形断面を有する四角柱状に加工した木材からなり、断面における長手方向が上下方向となるよう配設されている。また、複数の梁２２は、複数の根太２１と直交するように、互いに平行に配置されている。梁２２の上面には、根太２１を配置するための複数の凹部が形成されている。
【００１７】
防振吊り木１によって、床構造部材２に固定される１階居室の天井構造部材３は、１階居室の室内に配置される天井板３１と、天井板３１の上面に配置された野縁３２と、野縁３２と防振吊り木１とを連結する野縁受け３３とを有している。
天井板３１は、石膏ボードからなり、居室側に配置される面上には壁紙が張り付けられる。
【００１８】
野縁３２は、長方形断面を有する四角柱状の棒材を格子状に組んで形成されており、天井板３１の裏面に配置される。
野縁受け３３は、長方形断面を有する柱状の棒材からなり、野縁３２の上面に、梁２２と平行となるように配設されている。複数の梁２２の並び方向において、防振吊り木１によって連結される梁２２と野縁３２との間の距離は、防振吊り木１における幅と同一に設定されている。
【００１９】
図１及び図２に示すごとく、防振吊り木１は、木材によって形成された本体部１１と、発泡体からなる防振部材１１２とを備えている。
本体部１１は、長方形断面を有する四角柱状をなしており、本体部１１の長手方向が上下方向となるように配設されている。また、本体部１１の断面における長手方向は、梁２２及び野縁受け３３と平行となるように配設されている。
【００２０】
防振部材１１２は、塩化ビニル系樹脂を配合した炭酸カルシウムからなるシート状に成型してなる。防振部材１１２はまた、防振部材１１２の厚さは、２〜１０ｍｍに設定してある。防振部材１１２は、本体部１１における梁２２との対向面１１１の全面に接着固定されている。
尚、本例においては、塩化ビニル系樹脂を配合した炭酸カルシウムによって防振部材１１２を形成したが、これ以外にもポリウレタン系発泡体、ポリスチレン系発泡体等を用いることもできる。
【００２１】
防振吊り木１は、その上端部近傍を梁２２へ固定し、梁２２から防振吊り木１を垂下させる。このとき、防振吊り木１における防振部材１１２を梁２２側に向けて配置し、本体部１１と梁２２とによって防振部材１１２が挟まれた状態で固定される。また、防振吊り木１は、天井板３１の高さ位置を考慮して適当な長さに切断される。そして、防振吊り木１の下端部近傍に、野縁受け３３を固定することで野縁３２を吊り下げる。野縁受け３３は、防振吊り木１における梁２２側と反対側の面に固定される。本例において、梁２２及び野縁受け３３と防振吊り木１との固定には釘を用いた。そして、野縁３２に下方から天井板３１を張り付けることにより、１階の天井が形成される。
【００２２】
次に本例の作用効果について説明する。
防振吊り木１は、床構造部材２と本体部１１との間に挟持された防振部材１１２を備えている。そのため、床構造部材２から本体部１１へと伝達される振動を、弾性を有する防振部材１１２によって減衰させることができる。これにより、防振吊り木１から、天井構造部材３へと振動が伝達されるのを効果的に抑制することができる。
また、本体部１１は、金属に比べて振動を伝達しにくい、安価な木材によって形成されている。そのため、防振吊り木１のコストを低減しながら、振動の抑制効果を損なうことが無い。
【００２３】
また、防振部材１１２は、本体部１１における、床構造部材２との対向面１１１の全面に配設されている。そのため、本体部１１と床構造部材２との間に、確実に防振部材１１２を配置することができる。また、一般的に、吊り木は、建築物において下階の天井を施工する際に、建設現場で切断して天井の高さに合わせるよう長さの調整を行う。このとき、防振部材１１２を本体部１１における対向面１１１の全面に配設することにより、防振吊り木１の長さ調整に伴う防振部材１１２の配設位置の調整が不要となる。これにより、防振吊り木１の施工性を向上することができる。
【００２４】
また、防振部材１１２は、発泡体からなる。そのため、発泡体の内部に形成された気泡が、振動を吸収するバネの役割を果たし、防振部材１１２における制振性を向上することができる。また、発泡体の気泡は、断熱層の役割も果たすため、防振部材１１２に、断熱機能を付与することができる。これにより、本体部１１を介して熱が伝達されることを防止し、断熱性を向上することができる。また、発泡体は、中実の材料に比べて加工性に優れるため、防振吊り木１の加工性及び施工性をより向上することができる。
【００２５】
また、防振部材１１２は、塩化ビニル系樹脂を配合した炭酸カルシウムからなる。塩化ビニル系樹脂を配合した炭酸カルシウムは、温度が上昇することで軟化する。ここで、冬期は床からの冷熱の伝達を抑制するため厚手のカーペット等が用いられることがある。この場合、厚手のカーペットにより、衝撃が吸収され、音の発生が抑制される。一方、夏季には、床にカーペット等を配置しないで床を露出させるか、涼感が得られやすい薄手のマルチカバー等を用いることが多い。そのため、夏季は、冬期に比べて上下階における騒音の問題が生じやすい。防振部材１１２を、塩化ビニル系樹脂を配合した炭酸カルシウムによって形成することにより、家屋内が高温となりやすい夏季には防振部材１１２が軟化し、防振部材１１２における制振性が向上する。これにより、上述のごとく、騒音の問題生じやすい夏季においても、効果的に騒音を抑制することができる。また、塩化ビニル系樹脂を配合した炭酸カルシウムは、自己消火機能を有しており、延焼防止にも寄与することができる。
【００２６】
以上のごとく、本例の防振吊り木１によれば、安価な構造で、騒音を効果的に抑制することができる。
【００２７】
（確認試験）
本確認試験においては、防振吊り木及び従来の吊り木における制振効果の確認試験、及び固定強度の確認試験を行った。
図３及び図４に示すごとく、本試験には、防振吊り木１としての試験体１０１及び試験体１０２と、従来の防振部材１１２を備えていない吊り木としての試験体１０３とを用いた。
【００２８】
図３に示すごとく、試験体１０１及び試験体１０２は、断面形状が４０ｍｍ×３０ｍｍの長方形状をなす本体部１１と、床構造体としての梁２２と対向する対向面１１１に配設された防振部材１１２とを有している。試験体１０１における防振部材１１２の厚さｔは５ｍｍであり、試験体１０２における防振部材１１２の厚さｔは１０ｍｍである。また、その他の構成は、実施例１の防振吊り木１と同様の構成を有している。
図４に示すごとく、試験体１０３は、断面形状が４０ｍｍ×３０ｍｍの長方形状をなす棒状の木材からなり、防振部材１１２を備えていない。
【００２９】
試験体１０１〜試験体１０３は、直径φ３．４ｍｍ、全長７５ｍｍの鉄丸釘２４を２本用いて、梁２２に固定される。尚、試験体１０１及び試験体１０２は、防振部材１１２が梁２２に接触するまで鉄丸釘２４を打ち込んであり、試験体１０１を梁２２へ固定した際の梁２２への打ち込み深さは４０ｍｍであり、試験体１０２梁２２へ固定した際の梁２２への打ち込み深さは３５ｍｍである。また、試験体１０３を梁２２へ固定した際の梁２２への打ち込み深さは４５ｍｍである。
【００３０】
（制振効果の確認試験）
制振効果の確認試験には、試験体１０２及び試験体１０３を用いた。試験条件は、試験体１０２及び試験体１０３に衝撃／振動データロガーを取り付けると共に、重さ１００ｇの分銅を、梁２２の上面に対して高さ２０ｃｍの位置から梁２２の中心に向かって落下させる。このとき、試験体１０２及び試験体１０３へと伝達される衝撃量（Ｇ（ｍ／ｓ２））を衝撃／振動データロガーによって測定した。尚、衝撃量の測定は、試験体１０２及び試験体１０３において、それぞれ１０回ずつ行った平均値をとる。
【００３１】
制振効果の確認試験の結果、試験体１０２における衝撃量の平均値は、６．４９Ｇ（ｍ／ｓ２）であった。また、試験体１０３における衝撃量の平均値は、１０．７１Ｇ（ｍ／ｓ２）であった。これにより、防振部材１１２を備えた防振吊り木１は、従来の吊り木に比べて制振性に優れていることが確認された。
【００３２】
（固定強度の確認試験）
固定強度の確認試験には、試験体１０１〜試験体１０３を用いた。試験体１０１〜試験体１０３の固定強度は、梁２２へ固定された試験体１０１〜試験体１０３の下端を下方に向かって引っ張った際の抵抗力によって判定した。
【００３３】
固定強度の確認試験の結果、試験体１０１における抵抗力は、３１４ｋｇｆであった。また、試験体１０２における抵抗力は、２３７ｋｇｆであった。また、試験体１０３における抵抗力は３８９ｋｇｆであった。
この結果から、防振吊り木１においては、従来の防振部材１１２を有していない吊り木に比べて固定強度が低下している。しかしながら、吊り木は、１ｍ２あたり４本程度設けられるため、固定強度が最も低かった試験体１０２であっても、９５１ｋｇ／ｍ２の重量に耐えることができる。天井構造体の重量は、１１ｋｇ／ｍ２以下に規定されていることから、防振部材１１２を備えた防振吊り木１であっても十分な固定強度を備えているといえる。
【００３４】
（実施例２）
本例は、図５に示すごとく、防振吊り木１の構成を一部変更したものである。
本例の防振吊り木１において、防振部材１１２は、本体部１１における野縁受け３３側の面に配設されている。
その他の構成は実施例１と同様である。
また、本例においても実施例１と同様の作用効果を得ることができる。
【符号の説明】
【００３５】
１  防振吊り木
１１  本体部
１１２  防振部材
２  床構造部材
３  天井構造部材
【図１】
2016075063.tif 000003
【図２】
2016075063.tif 000004
【図３】
2016075063.tif 000005
【図４】
2016075063.tif 000006
【図５】
2016075063.tif 000007